(57)【要約】【課題】  サーバコンピュータで画像による診断を行う効率よく行えるようにすることを目的とする。【解決手段】  カメラの画角を変更する手段と、カメラの画角を予め２箇所以上指定する手段と、撮影された映像を保存する手段をもつカメラサーバにおける自己診断方法であって、予め保存されている映像データと撮影した映像データとの比較を行う比較工程と、比較した結果から撮像系の異常を判定する判定工程と、判定結果をユーザに通知する通知工程と、を有することを特徴とする自己診断方法等、を提供する。【選択図】  図１
2006304105.tif 000002
【特許請求の範囲】
【請求項１】
カメラの画角を変更する手段と、カメラの画角を予め２箇所以上指定する手段と、撮影された映像を保存する手段をもつカメラサーバにおける自己診断方法であって、
予め保存されている映像データと撮影した映像データとの比較を行う比較工程と、
比較した結果から撮像系の異常を判定する判定工程と、
判定結果をユーザに通知する通知工程と、
を有することを特徴とする自己診断方法。
【請求項２】
自己診断のスケジュール設定手段と、自己診断結果を受信する監視クライアント装置と、監視クライアント装置で設定されたスケジュールを保存する機能を有し、スケジュールにより設定された時刻に自己診断結果が受信されなかった場合にはカメラサーバに異常が発生したと判断することを特徴とする自己診断方法。
【請求項３】
カメラの画角を変更する手段と、カメラの画角を予め２箇所以上指定する手段と、撮影された映像を保存する手段をもつ自己診断装置であって、
予め保存されている映像データと撮影した映像データとの比較を行う比較手段と、
比較した結果から撮像系の異常を判定する判定手段と、
判定結果をユーザに通知する通知手段と、
を有することを特徴とする自己診断装置。
【請求項４】
カメラの画角を変更する手段と、カメラの画角を予め２箇所以上指定する手段と、撮影された映像を保存する手段をもつカメラサーバにおける自己診断をコンピュータに実行させるプログラムであって、
コンピュータに、
予め保存されている映像データと撮影した映像データとの比較を行う比較手順と、
比較した結果から撮像系の異常を判定する判定手順と、
判定結果をユーザに通知する通知手順と、
を実行させることを特徴とするプログラム。
【発明の詳細な説明】
【技術分野】
【０００１】
本発明は、ネットワークカメラの自己診断方法および自己診断結果の通知方法に関するものである。
【背景技術】
【０００２】
従来の自己診断方法では、各接続デバイスの自己診断機能、ソフトウェアによるメモリのチェックなどを行うことでカメラサーバ内部の電気的な障害を検出したり、センサなどを利用して機会部分の動作障害の検出を行っていた。そのため電気的に接続されておらず、センサなどにより検出の難しい外装ケースの汚れなどについては検出することができないなどの問題があった。
【０００３】
また、別の先行技術として画像データをサーバコンピュータに送信し、サーバコンピュータでカメラの異常診断を行う方法があるが、この場合サーバコンピュータに異常が発生した場合にカメラの異常診断を行うことができないなどの問題があった。
【発明の開示】
【発明が解決しようとする課題】
【０００４】
前述のとおり従来の技術では外装ケースの汚れなどを自動的に検出し、通知することができなかったために監視カメラのように常時汚れのない画像を必要とするが、通常は黙示による画像の確認が行われない場合など、本当に画像が必要となった場合にケースの汚れなどにより鮮明な画像を得ることができない場合があった。
【０００５】
また、サーバコンピュータで画像による診断を行う場合、サーバコンピュータまたはネットワークに障害が発生した場合に、障害の種類と原因を特定するのに手間がかかり、監視システムの運用コストを増大させる原因となっていた。
【課題を解決するための手段】
【０００６】
前記課題を解決するために本発明は、カメラの画角を変更する手段と、カメラの画角を予め２箇所以上指定する手段と、撮影された映像を保存する手段をもつカメラサーバにおける自己診断方法であって、予め保存されている映像データと撮影した映像データとの比較を行う比較工程と、比較した結果から撮像系の異常を判定する判定工程と、判定結果をユーザに通知する通知工程と、を有することを特徴とする自己診断方法等、を提供する。
【発明の効果】
【０００７】
本発明によれば、ネットワークカメラ本体で画像の比較を行い、異常診断を行うことでカメラ本体の異常だけではなく、カメラに付随する外装ケースなどの異常も検出することを可能とするとともに、自己診断のスケジュールを監視クライアントで管理することにより、万が一自己診断の結果が通知されてこなかった場合にもネットワークカメラに異常が発生したことをユーザが知ることができ、迅速に異常が発生に対応することが可能となり、本当に必要なときに鮮明な画像が保存されていないなどの問題を回避することが可能となる。
【発明を実施するための最良の形態】
【０００８】
図１は本発明における自己診断方式を利用したネットワークカメラサーバの構成図である。１はネットワークカメラサーバに接続されたパン・チルト・ズーム可能なカメラ装置、２はカメラのパン・チルト・ズームの動作を制御するためのカメラ制御装置、３はカメラからの画像信号を入力するためのビデオ入力装置、４は入力された画像信号を圧縮するためのデータ圧縮装置、５はカメラの制御、画像の比較処理を行うための演算装置、６は撮影された画像を一時保存するための一時記憶装置、７は撮影された画像データを記録保存するための不揮発性記憶装置、８は自己診断結果を通知するためのネットワークインターフェース、９は自己診断結果を受信する監視クライアント装置である。
【０００９】
ユーザは図３に示すネットワークカメラ設定画面により、自己診断を行うための設定を行い、参照用画像を不揮発性記憶装置７への保存を行う。カメラサーバは設定画面により設定されたスケジュールに従い、カメラ制御装置５を使用してカメラ１の画角を設定し、ビデオ入力装置３から入力された画像と、不揮発性記憶装置７に保存されている参照用画像を利用して自己診断処理を実行し、ネットワークインターフェース８を経由して監視クライアント９に対して自己診断結果を送信する。
【００１０】
（実施例１）
図３はユーザによるカメラの画角指定と評価用参照データ作成を行うための設定画面を表すものである。３０１はネットワークカメラによる自己診断を行うか否かを指定するチェックボックス、３０２は自己診断を行うための第一のカメラ位置を指定するための選択ボックス、３０３は第一のカメラ位置の画像を取得し、不揮発性記憶装置７に記憶するための撮影実行ボタン、３０４は自己診断を行うための第二のカメラ位置を指定するための選択ボックス、３０５は第二のカメラ位置の画像を取得し、不揮発性記憶装置７に記憶するための撮影実行ボタン、３０６は自己診断を実行する月を指定する選択ボックス、３０７は自己診断を実行する曜日または日にちを指定するための選択ボックス、３０８は自己診断を何時に実行するかを指定するための選択ボックス、３０９は自己診断を何分に実行するかを指定するための選択ボックスである。
【００１１】
まず最初に、ユーザはネットワークカメラが自己診断を実施するために、ネットワークカメラに対して自己診断を行うためのカメラの画角指定、評価用参照データの作成を行う。チェックボックス３０１をチェックし、自己診断を有効にした後、選択ボックス３０２で第一のカメラ位置を指定し、画像が正常であることを確認し、撮影実行ボタン３０３を押して第一の参照用画像データを不揮発性記憶装置７に保存する。次に選択ボックス３０４で第二のカメラ位置を指定し、画像が正常であることを確認し、撮影実行ボタン３０５を押して第二の参照用画像データを不揮発性記憶装置７に保存する。次に日時指定を行うために、選択ボックス３０６、３０７、３０８、３０９によりネットワークカメラによる自己診断を実行する日時の指定を行う。
【００１２】
図２はネットワークカメラによる自己診断を実行する処理の手順を表した図である。図２を用いてネットワークカメラによる自己診断の処理の流れを説明する。
【００１３】
ネットワークカメラは自己診断画面により指定された日時になると自動的に自己診断の実行を行う。自己診断が起動されると、まず異常検出フラグをクリア（ステップＳ２０１）した後、選択ボックス３０２により指定された第一のカメラ位置にカメラの画角を調整する（ステップＳ２０２）。カメラの位置が決まると、第一のカメラ位置の画像を取得し（ステップＳ２０３）、あらかじめ不揮発性記憶装置７に保存してあった第一の参照用画像と比較を行う（ステップＳ２０４）、比較を行った結果、画像に異常がないかを判定し（ステップＳ２０５）、異常があった場合には異常検出フラグをセットし（ステップＳ２０６）、取得した画像を一時記憶装置６に保存する（ステップＳ２０７）。次に、選択ボックス３０４により指定されている第二のカメラ位置にカメラの画角を調整し（ステップＳ２０８）、カメラの画角がきまると、第二のカメラ位置の画像を取得し（ステップＳ２０９）、不揮発性記憶装置７にあらかじめ保存してある第二の参照用画像と比較を行い（ステップＳ２１０）、画像に異常がないかを判定する（ステップＳ２１１）。
【００１４】
ここで異常があった場合、異常検出フラグを確認し（ステップＳ２１２）、異常検出フラグが設定されていた場合には、一時記憶装置６に保存されている第一のカメラ位置で取得した画像と第二のカメラ位置で取得した画像の比較を行う（ステップＳ２１３）。比較を行った結果、画像上の同一ブロックでの画像の異常であった場合（ステップＳ２１４）、レンズユニットの異常と判断し（ステップＳ２１５）、監視クライアント９に対して異常を通知する（ステップＳ２１６）。第一の位置での画像と異なるブロックでの異常である場合には第一のカメラ位置、第二のカメラ位置双方の外装ケースの異常であると判断し（ステップＳ２１７）、監視クライアント９に対して異常を通知する（ステップＳ２１６）。異常検出フラグの判定（ステップＳ２１２）において、異常検出フラグが設定されていなかった場合、第二のカメラ位置での外装ケースの異常であると判断し（ステップＳ２１８）、監視クライアントに９対して異常を通知する。第二のカメラ位置で取得した画像の比較結果の判定（ステップＳ２１１）において異常が検出されなかった場合、異常検出フラグを確認し（ステップＳ２１９）、異常検出フラグが設定されていた場合、第一のカメラ位置での外装ケースの異常であると判断し（ステップＳ２２０）、監視クライアント９に対して異常を通知する（ステップＳ２１６）。異常検出フラグの確認（ステップＳ２１９）の結果異常検出フラグが設定されていなかった場合、異常なしを監視クライアント９に対して通知する（ステップＳ２２１）。
【００１５】
（実施例２）
監視クライアントからカメラサーバの設定を行う方法として、カメラサーバ内蔵のＨＴＴＰサーバと設定用ページを使用する方法と、監視クライアント上で動作する設定用ツールを利用する方法の２つの方法が考えられるが、本実施例では監視クライアント上で動作する設定用ツールを利用する方法について説明する。設定用ツールの画面構成は図３で示すとおりである。
【００１６】
図４は本発明における第二の実施例における監視クライアントの構成を表すものである。４０１は設定画面を表示するための表示装置、４０２は設定項目の指定を行うための入力装置、４０３は設定内容を記憶するための不揮発性記憶装置、４０４は設定プログラムが保存されている一時記憶装置、４０５は画面制御、入力制御、通信制御などを行うための制御装置、４０６はネットワークカメラと通信を行うためのネットワークインターフェース、４０７はネットワークインターフェースを解して設定を行われるネットワークカメラである。
【００１７】
監視クライアントは図３で示される設定画面に必要な項目が入力されると、その設定内容を不揮発性記憶装置４０３に保存し、保存されたスケジュール情報からカメラサーバから自己診断結果が送信されてくる時刻を算出し、受信待ち状態となる。算出した日時にカメラサーバから自己診断結果が送信されてきた場合には、送られてきたメッセージをメッセージとして保存し、次に自己診断結果が送信されてくる時刻を算出し、再び受信待ち状態となる。指定の日時に自己診断結果が送信されてこなかった場合、監視クライアントはカメラサーバに障害が発生したことを表すメッセージを作成し、通常の自己診断結果が送信されていた場合と同じ手順でユーザにメッセージを知らせるためにメッセージを保存する。
【００１８】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００１９】
【図１】本発明におけるネットワークカメラの構成を示す図である。
【図２】本発明における自己診断処理の手順を示す図である。
【図３】本発明における自己診断のためのカメラサーバの設定画面を示す図である。
【図４】本発明における監視クライアントの構成を示す図である。
【符号の説明】
【００２０】
１：カメラ装置
２：カメラ制御装置
３：ビデオ入力装置
４：データ圧縮装置
５：演算装置（ＣＰＵ）
６：一時記憶装置
７：不揮発性記憶装置
８：ネットワークインターフェース
９：監視クライアント装置
【図１】
2006304105.tif 000003
【図２】
2006304105.tif 000004
【図３】
2006304105.tif 000005
【図４】
2006304105.tif 000006